(57)【要約】【課題】本発明は、複数の紙や樹脂性シート等の被カッティング対象物のカッティングを安全に行うことが可能であり、かつ不使用時にはコンパクトに収納可能な新規な構造の断裁機を提供することを目的とするのもである。【解決手段】本発明は、断裁機において、被カッティング対象物を載置するテーブルが、カッティング部の導入開口を塞ぐように折り畳まれて本体カバーに収納できることを特徴するものである。また、カッティング部への被カッティング対象物の導入開口には傾斜部を有し、また導出開口には安全カバーを設けていることを特徴とするものである。【選択図】    図１
2015112693.tif 000002
【特許請求の範囲】
【請求項１】
被カッティング対象物を配置するテーブルと、このテーブルの一端側に設けられたカッティング部と、このカッティング部上部に設けられた刃体と、この刃体の上下動を行うためのアームと、前記カッティング部に被カッティング対象物を導入する導入開口と導出する導出開口及びアームの出し入れを行うための開口が設けられた本体カバーとを有する断裁機において、前記テーブルが前記導入開口を塞ぐように折り畳まれて前記本体カバーに収納できることを特徴とする断裁機。
【請求項２】
前記カッティング部に光線によってカッティングラインを形成表示する発光装置を有すると共に、前記テーブルを折り畳むことによって、この発光装置がオフ状態になることを特徴とする請求項１項記載の断裁機。
【請求項３】
前記導出開口を覆い、前記導入開口から導入されたカッティング対象物によって開放され、逆方向からの導入には開放されない安全カバーを有することを特徴とする請求項１項記載の断裁機。
【請求項４】
前記導入開口には、前面側が高く後面側が低い傾斜板が設けられていることを特徴とする請求項１項記載の断裁機。
【請求項５】
前記テーブルには、他端から出し入れ可能な略コの字形状のガイド部材を有することを特徴とする請求項１項記載の断裁機。
【請求項６】
前記本体カバーの上面には、前記アームを収納した状態で保持、固定するアームロック部材を有することを特徴とする請求項１項記載の断裁機。
【発明の詳細な説明】
【技術分野】
【０００１】
本発明は、断裁機に関するものであり、特に、不使用時にコンパクト化して収納することが可能な新規な構造の断裁機に関するものである。
【背景技術】
【０００２】
多数積層した紙や樹脂フィルムなどをカッティングする必要がある場合、正確かつ短時間にカッティングするために断裁機が用いられている。
このような断裁機は、カッティングに大きな力を要するため、大きな力に対して変形しないように、幅が広く強固な長い刃や、大きく重い材料を用いたテーブルや本体を有している。
【０００３】
このような断裁機を用いて紙等をカッティングする際、大きくかつよく切れる刃を用いているため、更には強い力を用いるため、指の切断などの危険が伴う。特に、子供などが誤って切断刃付近に手を置いてしまうと、重く大きな刃によって、甚大な被害が発生する危険性がある。
特許文献１には、このような問題を解決するため、断裁機の切断部開口付近に安全カバーを設けることが示されている。
【０００４】
【特許文献１】特開平９−３１４４９６号
【発明の開示】
【発明が解決しようとする課題】
【０００５】
上述の特許文献１の断裁機の安全カバーは、断裁機本体をより大きくしてしまう。また、この安全カバーは、断裁部の１対の開口の片側だけに設けられるものであり、安全性において十分とは言えない。
また、基台も大きく、使用している時も、使用していない時も、大きな設置場所を必要とする。
【課題を解決するための手段】
【０００６】
本発明は、請求項１に記載するように、被カッティング対象物を配置するテーブルと、このテーブルの一端側に設けられたカッティング部と、このカッティング部上部に設けられた刃体と、この刃体の上下動を行うためのアームと、前記カッティング部に被カッティング対象物を導入する導入開口と導出する導出開口及びアームの出し入れを行うための開口が設けられた本体カバーとを有する断裁機において、前記テーブルが前記導入開口を塞ぐように折り畳まれて前記本体カバーに収納できることを特徴としている。
【０００７】
また請求項２に記載するように、前記カッティング部に光線によってカッティングラインを表示する発光装置を有すると共に、前記テーブルを折り畳むことによって、この発光装置がオフ状態になることを特徴している。
また請求項３に記載するように、導出開口を覆い、導入開口から導入されたカッティング対象物によって開放され、逆からは開放されない安全カバーを有することを特徴としている。
また、請求項４に記載するように、カッティング部へのカッティング対象物の導入が容易に行えるように、導入開口には、前面側が高く後面側が低い傾斜板が設けられていることを特徴としている。
また請求項５に記載するように、テーブルには、他端から出し入れ可能な略コの字形状のガイド部材を有することを特徴としている。
更に、請求項６に記載するように、本体カバーの上面には、アームを収納した状態で保持、固定するアームロック部材を有することを特徴としている。
【発明の効果】
【０００８】
本発明によれば、断裁機の安全性が向上すると共に、不使用時にはコンパクトに収納が可能となる。
【発明を実施するための最良の形態】
【０００９】
以下、本発明を実施するための最良の形態について、図面を参照して詳細に説明する。
【実施例】
【００１０】
以下、図に沿って本発明の一実施例を説明する。
図１は本発明の一実施例の断裁機の斜視図である。
この断裁機１は、紙や樹脂性フィルムなどの被カッティング対象物を配置するテーブル２、このテーブル２の一端側に設けられた本体ケース３、この本体ケース３内に配置された刃体４、この刃体４を下降動作させてカッティングを行うアーム５、カッティングラインを示す光線を形成するための発光装置６のオン、オフを行うスイッチ７、アーム５を本体ケース３に収納した状態でアーム５をロックするロック部材８、テーブル２の他端側からスライド移動させることが可能なガイド部材９とからなる。
【００１１】
尚、図２に示すように、テーブル２を、本体ケース３のテーブル収納部１２に収納する際、テーブル２を本体ケース３に固定するために、テーブル２の両側面には凸部１１が設けられており、また本体ケース３のテーブル収納部１２の両側面には、凸部１１に対応する位置に、凹部１３が設けられている。
また、テーブル２及びガイド部材９には、被カッティング対象物の大きさに対応した位置にインデックスマーク１４が設けられている。
このテーブル２及びガイド部材９のインデックスマークを合わせることにより、Ａ４或いはＢ５といった、被カッティング対象物の大きさに対応させて、任意の大きさに正確にカッティングすることが可能となる。
【００１２】
図２にテーブル２を本体ケース３に収納した状態を示す。
断裁機１の使用が済んだら、スイッチ７を操作して、発光装置６をオフにして、カッティングラインを示す光線を消した後、テーブル２を折り畳んで、本体ケース３内に収納する。
従来の断裁機１は、使用が済んだ後であっても、大きく収納場所を占有してしまうが、本実施例の断裁機２は、大きな設置面積を占めるテーブル２を横置きから縦置きとなるように折畳むことで、極めてコンパクトに収納することが可能となる。
また、本体ケース３の導入開口１０をテーブル２で覆い隠すために、安全性が極めて高い。
更に、本体ケース３内には、テーブル２の折り畳みによって、発光装置６がオフされるスイッチが内蔵されている。
このため、スイッチ７を操作し忘れても、発光装置６が動作し続けることが防止できる。
【００１３】
続いて、図３に、カッティング部付近の断面を示す。
被カッティング対象物を本体ケース３のカッティング部へ導入するための導入開口１０の上面には、被カッティング対象物を導入しやすくするための傾斜部１７が設けられている。
この傾斜部１７の構造により、指などがカッティング部へ挿入され難くすると共に、被カッティング対象物の先端が広がっているような場合であっても、被カッティング対象物をカッティング部へ、容易に導入することが可能となる。
【００１４】
また、被カッティング対象物を本体ケース３のカッティング部側から外に導出するための導出開口１５の外壁には、透明な保護カバー１６が設けられている。この保護カバー１６は、被カッティング対象物を導出する際には、矢印で示すように、押し上げられて開放されるが、この導出開口１５から被カッティング対象物を導入しようとしても、開かない構造となっている。
このため、この導出開口１５から誤って指等を入れることが防止される。
【００１５】
刃体４は、断裁刃１８とこの断裁刃１８に接着される補強板１９と、この断裁刃１８と補強板１９とからなる構造体がネジ止めされるフレーム２０とで構成されている。
従来は、肉厚の厚い断裁刃を用いていたが、このように肉厚の薄い断裁刃と補強板を用いることにより、低コスト化が実現される。
特に、交換用の刃体の低コスト化が図れると共に、交換が容易となる。
【００１６】
図４に、テーブル２とガイド部９の上面図を示す。
ガイド部９は、被カッティング対象物の一端に当接して、このカッティング対象物の動きを抑止するストッパー部２１と、テーブル２に設けられた１対のスリット内に配置され、スライド移動する１対のスライダー部２２と、位置固定用の突起部２４と、先に説明したインデックスマーク１４から構成されている。
尚、テーブル２の上述のスリット内には位置固定用のマグネット２３が設けられ、ガイド部９のスライダー部には、図示しないがマグネット２３に吸着する鉄製のプレートが設けられている。
また、テーブル２のスリットの側面には前述のガイド部９の突起２４が入り込む凹部が所定の位置に複数設けられている。
【００１７】
図５に、アーム５を本体ケース３内に収納し、ロック部材８でロックした状態の斜視図を示す。
このロック部材８は、樹脂製の取っ手部３０とＬ字状の金属性のアーム保持部３１で構成され、本体ケース３の上面のアーム収納開口３２の開放端の側面部に、矢印で示すように回転可能に設けられている。
【００１８】
図６に、本実施例装置の持ち運びを容易とするための取っ手３３を設けた斜視図を示す。
このような取っ手３３を設けることによって、断裁機の利便性が向上する。
尚、断裁機を長期間使用しない場合は、図のように断裁機を横置きにするのではなく、取っ手３３を上にして縦置きにすることによって、よりコンパクトに収納することも可能である。
【００１９】
本発明は、上記実施例に限定されるものではなく、例えば、本体ケースやテーブル等の構造、形状は種々変更可能である。また、本体ケースにテーブルを収納し固定する構造や、ガイド部の形状やロック部材の構造も上述の実施例に限定されるものではない。
【産業上の利用可能性】
【００２０】
本発明は、不使用時に、安全コンパクトに収納可能な新規な構造の断裁機を提供するものである。
【図面の簡単な説明】
【００２１】
【図１】図１は、本発明の第１の実施例の断裁機の構造を示す斜視図である。
【図２】図２は、本発明の実施例装置のテーブルを折り畳んだ状態を示す斜視図である。
【図３】図３は、本発明の実施例装置のカッティング部を説明するための、断面図である。
【図４】図４は、本発明の実施例装置のテーブルとガイド部を示す上面図である。
【図５】図５は、本発明の実施例装置のアームをロックした状態を示す斜視図である。
【図６】図６は、本発明の実施例装置に取っ手を設けた場合の状態を示す斜視図である。
【符号の説明】
【００２２】
１：断裁機
２：テーブル
３：本体ケース
４：刃体
【図１】
2015112693.tif 000003
【図２】
2015112693.tif 000004
【図３】
2015112693.tif 000005
【図４】
2015112693.tif 000006
【図５】
2015112693.tif 000007
【図６】
2015112693.tif 000008